(57)【要約】      （修正有）【課題】自己の必要とする表示内容を自己の選んだ物体に表示して広く宣伝効果や産業発展に貢献する自己必要情報表示体の取り付け構造体を提供する。【解決手段】自己の選んだ物体１の表示面に自己の必要とする表示体２を表示してなる自己必要情報表示体の取り付け構造体１００であり、表示体２を物体１の内外面のいずれか又は双方に直接又は着脱可能に取り付け、表示体２の取り付け手段が塗着、印刷、貼り付け、磁着、面ファスナー、吸着からなる。【選択図】図１
0003230747.tif 000002
【実用新案登録請求の範囲】
【請求項１】
自己の必要とする情報の表示内容を示す表示体を自己の選んだ物体の内外面のいずれか又は双方に直接又は着脱可能に取り付けてなることを特徴とする自己必要情報表示体の取り付け構造体。
【請求項２】
前記表示体の取り付け手段が塗着，印刷，貼り付け，磁着，マジックテープ使用，吸着（ガラス体対応），デジタルコンテンツからなることを特徴とする請求項１に記載の自己必要情報表示体の取り付け構造体。
【請求項３】
前記物体が、交通関係具，家電関係具，看板，家屋（ガラス壁も含む），船空関係具（ロケット，人工衛星，宇宙ステーションを含む），船舶関係具，衣服類，宣伝用器具，道路や橋体のインフラ、歩道，電柱，街路灯で有ることを特徴とする請求項１に記載の自己必要情報表示体の取り付け構造体。
【考案の詳細な説明】
【技術分野】
【０００１】  本考案は、物体、例えばトラックの如き車輌の外面に自己の仕事内容等の必要な情報の表示内容を示す表示体を塗着や印刷等によって取り付けてなる自己必要情報表示体の取り付け構造体に関する。
【背景技術】
【０００２】  通常例えば、トラックにはその外面には何も塗着した看板や広告がなく、社名や電話番号等が記載されているのが普通である。
しかしながらトラックは外部に運転されて廻るため、この外面に宣伝用の表示が塗着等がされていれば大きな宣伝効果を上げることが出来る。このため、最近では図２の写真に示すようにトラックの外面に色々の表示模様を設けているものが存在する。この作業は出願人である株式会社デサンが主に実施しているものであるが、弊社としては特許庁への出願は実施していなかった。
しかし最近では弊社の仕事を真似て実施している他者が存在しつつあるため、遅まきながら出願をすることとした。但し、従来はトラックに主に限定して実施して来た場合が多いため、これをトラックに限定せず、この表示手段を必要とするであろうと思われる対象の物体まで広げた実用新案登録出願をしようとしたものである。なお、出願人の調査によれば以下に述べるような自己必要情報表示体の取り付け構造体は存在していない。
【考案の概要】
【考案が解決しようとする課題】
【０００３】  本考案は前記の事情に鑑み、出願人が対象物体と考えられる範囲において、出願人が従来行って来たまた今後行う予定である自己必要情報表示体の取り付け構造体の実用新案登録出願を実施し、このメリットを広く世の中に展開することを目的として本考案を提案したものである。
【課題を解決するための手段】
【０００４】  本考案は以上の目的を達成すべく提案したものであり、請求項１は自己の必要とする情報の表示内容を示す表示体を自己の選んだ物体の内外面のいずれか又は双方に直接又は着脱可能に取り付けてなることを特徴とする。【０００５】  また、請求項２は前記表示体の取り付け手段が塗着，印刷，貼り付け，磁着，マジックテープ使用，吸着（ガラス体対応），デジタルコンテンツからなることを特徴とする。【０００６】  また、請求項３は前記物体が、交通関係具，家電関係具，看板，家屋（ガラス壁も含む），船空関係具（ロケット，人工衛星，宇宙ステーションを含む），船舶関係具，衣服類，宣伝用器具，道路や橋体のインフラ、歩道，電柱，街路灯で有ることを特徴とする。
【考案の効果】
【０００７】  本考案の請求項１の自己必要情報表示体の取り付け構造体によれば、自己の必要とする物体の内外面のいずれか又は双方に自己の必要とする表示内容を示す表示体を表示する手段により自社の宣伝効果の拡大と有意な情報の一般人に対する宣伝等を行うことが出来、自社及び社会の発展に大きく貢献することが出来る。【０００８】  また、本考案の請求項２の自己必要情報表示体の取り付け構造体によれば、物体への表示手段として各種のものが考えられ色々の手段で自己の主張すべき内容を明確に表示して宣伝することが出来る。【０００９】  また、本考案の請求項３の自己必要情報表示体の取り付け構造体によれば、物体としては各種のものが考えられ、出願人としてはこの表示を業としているため今後もこれ等の物体への表示が可能となり、一層の産業発展に貢献することが出来ると願っている。
【図面の簡単な説明】
【００１０】
【図１】  本考案の概要構造を示す模式図。
【図２】  本考案をトラックに実施した数列を示す写真。
【考案を実施するための形態】
【００１１】  以下、本考案の自己必要情報表示体の取り付け構造体１００の実施の形態を図面を用いて説明する。
【実施例１】
【００１２】  図１に示すように自己の選んだ物体１の表面に自己の必要とする情報の表示体を表示した概念図であり、物体１や表示体２は各種のものがあるためその代表として概念図を示したものである。【００１３】  本考案としては請求の範囲に記載しているように各種の実施内容があるが、内容としては極めて広いため、実施例としては敢えて表示しない。しかし、その適用範囲は極めて広いものであり、産業発展に大きく貢献出来るものと信じている。
【産業上の利用可能性】
【００１４】  以上の如く、本考案は利用範囲が極めて広いものであり、大きな産業となることを信じている。
【符号の説明】
【００１５】  １      物体
２      表示体
１００  自己必要情報表示体の取り付け構造体
【図１】
0003230747.tif 000003
【図２】
0003230747.tif 000004
【手続補正書】
【提出日】令和2年11月27日(2020.11.27)
【手続補正１】
【補正対象書類名】実用新案登録請求の範囲
【補正対象項目名】全文
【補正方法】変更
【補正の内容】
【実用新案登録請求の範囲】
【請求項１】
自己の必要とする情報の表示内容を示す表示体を自己の選んだ物体の内外面のいずれか又は双方に直接又は着脱可能に取り付けてなり、前記表示体の取り付け手段が塗着，印刷，貼り付け，磁着，面ファスナー使用，吸着（ガラス体対応）からなることを特徴とする自己必要情報表示体の取り付け構造体。
【請求項２】
前記物体が、交通関係具，家電関係具，看板，家屋（ガラス壁も含む），船空関係具（ロケット，人工衛星，宇宙ステーションを含む），船舶関係具，衣服類，宣伝用器具，道路や橋体のインフラ，歩道，電柱，街路灯で有ることを特徴とする請求項１に記載の自己必要情報表示体の取り付け構造体。
【手続補正２】
【補正対象書類名】明細書
【補正対象項目名】全文
【補正方法】変更
【補正の内容】
【考案の詳細な説明】
【技術分野】
【０００１】  本考案は、物体、例えばトラックの如き車輌の外面に自己の仕事内容等の必要な情報の表示内容を示す表示体を塗着や印刷等によって取り付けてなる自己必要情報表示体の取り付け構造体に関する。
【背景技術】
【０００２】  通常例えば、トラックにはその外面には何も塗着した看板や広告がなく、社名や電話番号等が記載されているのが普通である。
しかしながらトラックは外部に運転されて廻るため、この外面に宣伝用の表示が塗着等がされていれば大きな宣伝効果を上げることが出来る。このため、最近では図２の写真に示すようにトラックの外面に色々の表示模様を設けているものが存在する。この作業は出願人である株式会社デサンが主に実施しているものであるが、弊社としては特許庁への出願は実施していなかった。
しかし最近では弊社の仕事を真似て実施している他者が存在しつつあるため、遅まきながら出願をすることとした。但し、従来はトラックに主に限定して実施して来た場合が多いため、これをトラックに限定せず、この表示手段を必要とするであろうと思われる対象の物体まで広げた実用新案登録出願をしようとしたものである。なお、出願人の調査によれば以下に述べるような自己必要情報表示体の取り付け構造体は存在していない。
【考案の概要】
【考案が解決しようとする課題】
【０００３】  本考案は前記の事情に鑑み、出願人が対象物体と考えられる範囲において、出願人が従来行って来たまた今後行う予定である自己必要情報表示体の取り付け構造体の実用新案登録出願を実施し、このメリットを広く世の中に展開することを目的として本考案を提案したものである。
【課題を解決するための手段】
【０００４】  本考案は以上の目的を達成すべく提案したものであり、請求項１は自己の必要とする情報の表示内容を示す表示体を自己の選んだ物体の内外面のいずれか又は双方に直接又は着脱可能に取り付けてなり、前記表示体の取り付け手段が塗着，印刷，貼り付け，磁着，面ファスナー使用，吸着（ガラス体対応）からなることを特徴とする。【０００５】  また、請求項２は前記物体が、交通関係具，家電関係具，看板，家屋（ガラス壁も含む），船空関係具（ロケット，人工衛星，宇宙ステーションを含む），船舶関係具，衣服類，宣伝用器具，道路や橋体のインフラ，歩道，電柱，街路灯で有ることを特徴とする。
【考案の効果】
【０００６】  本考案の請求項１の自己必要情報表示体の取り付け構造体によれば、自己の必要とする物体の内外面のいずれか又は双方に自己の必要とする表示内容を示す表示体を表示する手段により自社の宣伝効果の拡大と有意な情報を一般人に対し宣伝等を行うことが出来、自社及び社会の発展に大きく貢献することが出来、前記表示体の取り付け手段が請求項１に明記するように各種のものからなり、広い宣伝効果を挙げることが出来る。【０００７】  また、本考案の請求項２の自己必要情報表示体の取り付け構造体によれば、前記物体として各種のものが考えられ、出願人としてはこの表示を業としているため今後もこれ等の物体への表示が可能であり、一層の産業発展に貢献することが出来る。
【図面の簡単な説明】
【０００８】
【図１】  本考案の概要構造を示す模式図。
【図２】  本考案をトラックに実施した数列を示す写真。
【考案を実施するための形態】
【０００９】  以下、本考案の自己必要情報表示体の取り付け構造体１００の実施の形態を図面を用いて説明する。
【実施例１】
【００１０】  図１に示すように自己の選んだ物体１の表面に自己の必要とする情報の表示体を表示した概念図であり、物体１や表示体２は各種のものがあるためその代表として概念図を示したものである。【００１１】  本考案としては請求の範囲に記載しているように各種の実施内容があるが、内容としては極めて広いため、実施例としては敢えて表示しない。しかし、その適用範囲は極めて広いものであり、産業発展に大きく貢献出来るものと信じている。
【産業上の利用可能性】
【００１２】  以上の如く、本考案は利用範囲が極めて広いものであり、大きな産業となることを信じている。
【符号の説明】
【００１３】  １      物体
２      表示体
１００  自己必要情報表示体の取り付け構造体